(57)【要約】      （修正有）【課題】組み上げが容易で梱包し易い包装箱を提供する。【解決手段】矩形の底部１と、該底部１の四周辺に連なる、２つの対向する第１側壁部２および２つの対向する第２側壁部３と、前記各第１側壁部２にそれぞれ連なる第１フラップ４と、前記各第２側壁部３にそれぞれに連なる第２フラップ５とを備える。さらに、各第１フラップ４それぞれの内面に貼り合せ連結される貼付け部６を、それぞれ、折り線を介して内折り可能に各第１フラップ４それぞれの側端に連設し、各貼付け部６と第２側壁部３の端部とに亘って、それぞれ折り線を介して折込み部８を設ける。また、折込み部８を、中央部に設けた中折り線を介して折込み可能とし、折込み部８と第２フラップ５の側端との間に切欠き９を形成する。【選択図】図４
0003172265.tif 000002
【実用新案登録請求の範囲】
【請求項１】
矩形の底部と、該底部の四周辺に連なる、２つの対向する第１側壁部および２つの対向する第２側壁部と、前記各第１側壁部にそれぞれ連なる第１フラップと、前記各第２側壁部にそれぞれに連なる第２フラップと、を備え、
前記各第１フラップそれぞれの内面に貼り合せ連結される貼付け部を、折り線を介して内折り可能に前記各第１フラップそれぞれの側端に連設し、
前記各貼付け部と第２側壁部の端部とに亘って、それぞれ折り線を介して折込み部を設け、
前記折込み部を、中折り線を介して折込み可能とし、
前記折込み部と前記第２フラップの側端との間に切欠きを形成してある、
ことを特徴とする包装箱。
【請求項２】
前記貼付け部の外側端にのり代部を突設してある請求項１記載の包装箱。
【請求項３】
前記貼付け部に対する前記折込み部の折り線上に、折込み揺動によって表裏反転された折込み部が復帰揺動するのに抵抗を付与する突起を切込み形成してある請求項１または２に記載の包装箱。
【請求項４】
前記第１側壁部の側端と前記貼付け部の端辺との間に三角形状の抜き孔を形成し、前記抜き孔に臨む折込み部の端辺に、折込み揺動によって表裏反転された折込み部が復帰揺動するのに抵抗を付与する突起を備えてある請求項１ないし３のいずれか記載の包装箱。
【請求項５】
前記第１フラップの両側端に、第１フラップに折重ね貼り付けられた貼付け部より外方に突出する突出部を形成してある請求項１ないし４のいずれかに記載の包装箱。
【考案の詳細な説明】
【技術分野】
【０００１】
本考案は、組立て式の包装箱に関し、更に詳しくは、宅配便などで物品を送るのに好適に使用することのできる包装箱に関する。
【背景技術】
【０００２】
各種の輸送に用いられる組み立て式の包装箱としては、例えば特許文献１に示されているように、紙材を所定の形状に打ち抜き裁断して横長の原紙を製作し、この原紙の両端を糊付け連結して角筒状の箱素材を形成し、これを扁平に折り畳んでユーザーに提供し、ユーザーにおいては、箱素材の底部を折り上げて物品を収容し、その後、４枚のフラップを折り曲げて使用するように構成したものが知られている。
【先行技術文献】
【特許文献】
【０００３】
【特許文献１】特開２００７−２３０６２４号公報
【考案の概要】
【考案が解決しようとする課題】
【０００４】
上記構成の包装箱においては、梱包に際して、先ず、扁平な箱素材を角筒状に折り起こし、次に、底側の４枚のフラップを折り込んで底部を組上げ、場合によってはテープで底部を固定し、この状態で箱内に物品を収容し、４枚のフラップを折り曲げ、必要に応じてテープ封緘を行うようにしており、包装箱の組上げに手数がかかるものとなっていた。
【０００５】
本考案は、このような点に着目してなされたものであって、組み上げが容易で梱包操作を行いやすい包装箱を提供することを目的としている。
【課題を解決するための手段】
【０００６】
上記目的を達成するために、本考案は以下のように構成した。
【０００７】
（１）本考案に係る包装箱は、矩形の底部と、該底部の四周辺に連なる、２つの対向する第１側壁部および２つの対向する第２側壁部と、前記各第１側壁部にそれぞれ連なる第１フラップと、前記各第２側壁部にそれぞれに連なる第２フラップと、を備え、
前記各第１フラップそれぞれの内面に貼り合せ連結される貼付け部を、折り線を介して内折り可能に前記各第１フラップそれぞれの側端に連設し、
前記各貼付け部と第２側壁部の端部とに亘って、それぞれ折り線を介して折込み部を設け、
前記折込み部を、中折り線を介して折込み可能とし、
前記折込み部と前記第２フラップの側端との間に切欠きを形成してある、ことを特徴とする。
【０００８】
本考案によると、第１フラップの内面に貼り合せ連結される貼付け部を、第１フラップの側端に連設するので、第１，第２側壁部の高さ、すなわち、包装箱の高さに拘らず、大きい第１フラップに対応した大きい貼付け部を備えることができ、これによって、浅い包装箱であっても十分なのり代を貼付け部に確保して、貼付け部を第１フラップに確実に折り重ね貼り付けることができる。
【０００９】
更に、本考案によると、貼付け部、折込み部、第２フラップ、および、第２側壁部を内側に折り曲げて底部、第１フラップおよび第１側壁部の内面上に折り重ねると共に、貼付け部を第１フラップの内面に貼り付けることで嵩低い扁平状態の包装箱素材を構成することができ、この扁平状態で包装箱素材をユーザーに提供することができる。
【００１０】
ユーザーが包装箱素材を梱包に使用する場合には、例えば、先ず、扁平に折り重ねられた包装箱素材における第１側壁部および第１フラップを底部に対して起立させる。この起立操作に伴って、第１フラップに折込み部を介して繋がる第２側壁部および第２フラップが引き起されると共に、第１側壁部および第１フラップに対して折込み部が折り起こし揺動され、底部が全体的に露出開放された開箱状態となる。この場合、折込み部と第２フラップの側端との間に切欠きが形成されているので、折込み部が第２側壁部に対して折り曲がる際に第２フラップが抵抗を及ぼすことはなく、折込み部の折り起こしは円滑に行われる。
【００１１】
開箱状態の箱内に物品を収納すると、第２フラップを内側に折り曲げた後、第１フラップを内側に折り曲げて第２フラップの上に重ね、必要に応じてテープ封緘などを行う。この第１フラップの内折りに伴って折込み部も中折りされる。
【００１２】
（２）本考案の好ましい実施態様では、前記貼付け部の外側端にのり代部を突設してある。
【００１３】
この実施態様によると、のり代部が貼付け部の外側端に突設されているので、例えば型抜き裁断された包装箱の原紙を連続搬送しながら、塗布ローラ等を用いて各のり代部にのみ接着剤を塗布してゆくことが可能となり、包装箱素材の製造工程の一部である接着剤塗布工程を能率よく行うことができる。
【００１４】
（３）本考案の他の実施態様においては、前記貼付け部に対する前記折込み部の折り線上に、折り起こし揺動によって表裏反転された折込み部が復帰揺動するのに抵抗を付与する突起を切込み形成してある。
【００１５】
この実施態様によると、扁平に折り重ねられた包装箱素材における第１側壁部および第１フラップを底部に対して起立させると、この起立操作に伴って、第１フラップに折込み部を介して繋がる第２側壁部および第２フラップが引き起されると共に、折込み部が扁平に折り込まれ、底部が全体的に露出開放された開箱状態となる。この場合、第１側壁部および第１フラップに重ねられている折込み部は、第１側壁部および第１フラップに対して折り起こし揺動して表裏反転することになる。この際、折り線上に切込み形成された突起は折込み部と一体に起立揺動して、突起が第１フラップを押圧して撓み変形させながら、あるいは、折込み部が後退変形しながら表裏反転することになり、第１側壁部を起立させた後に手を離しても、突起と第１フラップの内面との接触抵抗によって第１側壁部や第１フラップが展開姿勢に復帰することが阻止される。これによって、底部が大きく露出開放された開箱状態が保持されることになり、大きく開放保持された箱内に物品を容易に収納することが可能となる。
【００１６】
（４）本考案の他の実施態様においては、前記第１側壁部の側端と前記貼付け部の端辺との間に三角形状の抜き孔を形成し、前記抜き孔に臨む折込み部の端辺に、折込み揺動によって表裏反転された折込み部が復帰揺動するのに抵抗を付与する突起を備えてある。
【００１７】
この実施態様によると、表裏反転された折込み部が復帰揺動するのに抵抗を付与する突起が抜き孔に臨む折込み部の端辺に設けられることになり、表裏反転された折込み部が復帰揺動する抵抗を一層確実に付与することができ、組上げた包装箱を開箱状態に保持する機能が高いものとなり、物品の収納操作が一層容易となる。
【００１８】
（５）本考案の他の実施態様においては、前記第１フラップの両側端に、第１フラップに折重ね貼り付けられた貼付け部より外方に突出する突出部を形成してある。
【００１９】
この実施態様によると、包装箱を組上げた際に第１フラップの突出部が第２側壁部の上端に引っ掛かることになり、梱包する際や、梱包した包装箱を運搬する際に、第１フラップが不用意に箱内部に落ち込むことを防止することができる。
【考案の効果】
【００２０】
このように、本考案によれば、扁平に折り重ねた包装箱素材から大きく開放された箱状に組み上げる操作が簡単なものとなり、組み上げが容易で梱包し易い実用性に優れた包装箱を提供することができる。
【図面の簡単な説明】
【００２１】
【図１】原紙の展開平面図である。
【図２】原紙の斜視図である。
【図３】包装箱素材を示す斜視図である。
【図４】開放した包装箱の斜視図である。
【図５】組上げ途中を示す斜視図である。
【図６】組み上がった包装箱の斜視図である。
【図７】折込み部の作動を示す要部の縦断面図である。
【図８】別実施形態における原紙の展開平面図である。
【図９】別実施形態における包装箱素材の斜視図である。
【図１０】別実施形態にける組上げ途中を示す斜視図である。
【図１１】別実施形態における組み上がった包装箱の斜視図である。
【図１２】更に別の実施形態における原紙の展開平面図である。
【考案を実施するための形態】
【００２２】
以下、添付した図面を参照して本考案の実施形態に係る包装箱を詳細に説明する。図１および図２に、包装箱を構成する原紙が展開した状態で示されている。これらの図を参照して、Ａは包装箱の原紙であり、この原紙Ａは、厚さが、例えば１ｍｍ程度の薄型の段ボール紙を型抜き裁断して形成されている。原紙Ａは、例えば縦横数十ｃｍ程度の矩形形状の底部１を有すると共に、この底部１の四周辺に折り線ａ，ｂを介して高さが、例えば数ｃｍほどの相対向する２つの第１側壁部２と、相対向する２つの第２側壁部３が連設されている。各第１側壁部２には、折り線ｃを介して第１フラップ４がそれぞれ連設されると共に、各第２側壁部３には、折り線ｄを介して第２フラップ５がそれぞれ連設されている。
【００２３】
各第１フラップ４の両端に折れ線ｅを介して貼付け部６が連設されると共に、この貼付け部６と第１側壁部２の端部との間に、斜辺が４５度で傾斜する直角三角形状の抜き孔７が打ち抜き形成され、かつ、この抜き孔７の斜辺に臨むように台形形状の折込み部８が第２側壁部３の端部と貼付け部６とに亘って設けられている。
【００２４】
また、貼付け部６の端部には、折込み部８および第２フラップ５の外端よりも外方に突出するのり代部６ａが備えられている。
【００２５】
折込み部８と第２側壁部３との間には、第１側壁部２の折り線ａに直線状に連なる折り線ｆが形成されると共に、折込み部８と貼付け部６との間には、４５度で傾斜する折り線ｇが抜き孔７の斜辺に直線状に連なるよう形成され、更に、折込み部８の中央には、第２フラップ５の折り線ｄに直線状に連なる中折り線ｈが備えられている。
【００２６】
各第１フラップ４は、箱状に折り上げられた状態で先端部同士が互いに突き合わされる長さに設定されている。また、第２フラップ５の両側端とこれに対向する折込み部８との間には、内角が直角で両側辺が４５度で傾斜するＶ形の切欠き９が設けられて、第２フラップ５と折込み部８とが隔絶されている。
【００２７】
また、抜き孔７の斜辺、つまり、抜き孔７に臨む折込み部８の端辺には小さな突起８ａが設けられると共に、折り線ｇの中間にも、折込み部８に連なる小さな突起８ｂが切り込み形成されている。
【００２８】
なお、前記折り線ａ，ｂ，ｃ，ｄ，ｅ，ｆ，ｇ、および、中折り線ｈは原紙裁断時に型押し形成され、また、第２フラップ５の折り線ｄには、直線状に断続してスリット群が切り込み形成されて折り曲げの容易化が図られている。
【００２９】
原紙１は以上のように構成されており、図３に示すように、貼付け部６、折込み部８、第２フラップ５、および、第２側壁部３が、直線状に連なる折り線ｂ，ｅに沿って内側に折り曲げられ、底部１、第１側壁部２、および、第１フラップ４の上に折り重ねられると共に、貼付け部６ののり代部６ａが第１フラップ４の内面に貼り付けられ、扁平に折り重ねた状態の包装箱素材Ｂが形成され、これがユーザーに提供される。
【００３０】
なお、上記折曲げ工程および貼付け工程に先立って、展開状態の原紙１を連続搬送しながら塗布ローラなどを用いてのり代部６ａに、図２に示すように接着剤ｓが機械的に連続塗布される。
【００３１】
上記包装箱素材Ｂを組み上げて物品を梱包する手順を以下に説明する。
【００３２】
先ず、図４に示すように、包装箱素材Ｂの折り重ねられた第１側壁部２と第１フラップ４とを起立させる。この起立操作に伴って、第１フラップ４に折込み部８を介して繋がる第２側壁部３が第２フラップ５と共に引き起される。
【００３３】
これによって、折込み部８は、折り線ｆ，ｇを介して起立揺動し、中折り線ｈより外側の三角形部位は表裏反転して第１側壁部２に重ねられると共に、中折り線ｈより内側の平行四辺形部位も表裏反転して第１フラップ４に重ねられる。この場合、折込み部８と第２フラップ５の側端との間に切欠き９が形成されているので、折込み部８が第２側壁部３に対して折り曲がる際に第２フラップ５が抵抗を及ぼすことはなく、折込み部８の折り起こしは円滑に行われる。
【００３４】
また、折込み部８における中折り線ｈより外側の三角形部位が表裏反転して第１側壁部２に重ねられる際、図７（ａ），（ｂ），（ｃ）に示すように、折込み部８が第１側壁部２に沿った姿勢から起立揺動される時に、その揺動支点側に位置する突起８ａが第１側壁部２を押圧して撓み変形させながら起立揺動した後、折込み部８が表裏反転して第１側壁部２に沿った姿勢に切り換わる。また、図示されていないが、中折り線ｈより内側の平行四辺形部位が表裏反転して第１フラップ４に重ねられる際にも、折り線ｇ上の突起８ｂが上記と同様に第１フラップ４を撓み変形させながら、あるいは、折込み部８が後退変形しながら揺動反転することになる。
【００３５】
従って、図５に示すように第１側壁部２および第１フラップ４を起立させた後に手を離しても、突起８ａ，８ｂが反転姿勢で第１側壁部２および第１フラップ４に当接することで、紙材の弾性復元力で第１側壁部２および第１フラップ４が元の展開姿勢方向に復帰するのに抵抗となり、底部１が大きく露出開放された開箱状態が保持されることになり、大きく開放保持された箱内に物品を容易に収納することが可能となる。
【００３６】
物品を箱内に収納すると、先ず、第２フラップ５を折り線ｄに沿って内側に折り曲げ、次に、第１フラップ４を折り線ｃに沿って内側に折り曲げて第２フラップ５の上に重ね、第１フラップ４同士を突き合わせることで、図６に示すような梱包状態を得ることができ、必要に応じてテープ封緘やシール封緘を行う。この場合、第１フラップ４の内折りに伴って折込み部８も中折りされる。
【００３７】
以上のようにして扁平に折り重ねた包装箱素材Ｂから大きく開放された箱状に組み上げる操作が簡単なものとなり、組み上げが容易で梱包し易い実用性に優れた包装箱を提供することができる。
【００３８】
（他の実施形態）
本考案は次のような形態で実施することもできる。
【００３９】
（１）図８〜図１１に示すように、第１フラップ４と貼付け部６との間に、折り線ｅより若干、例えば２ｍｍ〜３ｍｍ程度外側に偏って切込み１０を設けることで、包装箱素材Ｂを折り重ね形成した時に、第１フラップ４の両端部に突出部４ａを形成することができ、組上げた際に、図１１に示すように、第１フラップ４の突出部４ａが第２側壁部３の上端に引っ掛かることになり、梱包する際や、梱包した包装箱を運搬する際に、第１フラップ４が不用意に箱内部に落ち込むことを防止することができる。
【００４０】
（２）図１２に示すように、第１側壁部２および第２側壁部３の高さが小さい（例えば２ｃｍ程度）場合には、抜き孔７が小さいものとなるので、折込み部８に設ける復元防止用の突起８ｂは折り線ｇ上にのみ形成してもよい。また、第２フラップ５と折込み部８との間に形成するＶ形の切欠き９は必ずしも内角が直角の直角三角形状である必要はなく、例えば、図１２中に示すように、内角が鋭角の切欠き９であってもよい。この場合、折込み部８は略三角形状の小さいものとなる。
【００４１】
（３）第１フラップ４の先端部同士を連結するフラップ連結手段を備えた仕様で実施することもできる。このフラップ連結手段としては、例えば、相互に挿し込み連結される係合爪を設けて、第１フラップ４同士を差込み連結する手段や、一方の第１フラップ４に設けた係止舌片を他方の第１フラップ４に設けたスリットに差し込み連結する手段を利用することができる。
【産業上の利用可能性】
【００４２】
本考案は、薄い物品からやゝ厚い物品などを収納する包装箱として特に有用であるが、深さの大きい包装箱に適用することもできる。
【符号の説明】
【００４３】
１                底部
２                第１側壁部
３                第２側壁部
４                第１フラップ
４ａ              突出部
５                第２フラップ
６                貼付け部
６ａ              のり代部
７                抜き孔
８                折込み部
８ａ              突起
８ｂ              突起
９                切欠き
１０              切込み
ａ                折り線
ｂ                折り線
ｃ                折り線
ｄ                折り線
ｅ                折り線
ｆ                折り線
ｇ                折り線
ｈ                中折り線
ｓ                接着剤
Ａ                原紙
Ｂ                包装箱素材
【図１】
0003172265.tif 000003
【図２】
0003172265.tif 000004
【図３】
0003172265.tif 000005
【図４】
0003172265.tif 000006
【図５】
0003172265.tif 000007
【図６】
0003172265.tif 000008
【図７】
0003172265.tif 000009
【図８】
0003172265.tif 000010
【図９】
0003172265.tif 000011
【図１０】
0003172265.tif 000012
【図１１】
0003172265.tif 000013
【図１２】
0003172265.tif 000014